(57)【要約】【課題】構造が単純で小型化することができ、作業性も良く、かつ、断熱性能を向上させることができると共に、木材の寿命も向上させることができる柱脚金物、その柱脚金物を使用した建築構造および建築工法を提供すること。【解決手段】土台に形成された座ぼり部に設置され、基礎から延び座ぼり部に突出したアンカーボルトのネジ部およびナットにより座ぼり部に固定されるベース部１１と、そのベース部１１に立設され、柱に形成されたシャフト挿入穴に挿入され、柱と共にドリフトピンが挿入されて柱に固定されるシャフト部１２とを有する。【選択図】図３
2016211181.tif 000002
【特許請求の範囲】
【請求項１】
土台に形成された座ぼり部に設置され、基礎から延び座ぼり部に突出したアンカーボルトのネジ部およびナットにより前記座ぼり部に固定されるベース部と、
そのベース部に立設され、柱に形成されたシャフト挿入穴に挿入され、柱と共にドリフトピンが挿入されて柱に固定されるシャフト部と、
を有することを特徴とする柱脚金物。
【請求項２】
請求項１に記載の柱脚金物において、
前記ベース部は、一定の厚みの鋼板からなり土台の幅より狭い幅を有する長板形状であって、その長手方向には一定間隔で少なくとも２以上のボルト孔が設けられており、
前記シャフト部は、両側にそれぞれ前記ボルト孔が位置するように立設されていることを特徴とする柱脚金物。
【請求項３】
請求項２に記載の柱脚金物において、
前記シャフト部は、前記ベース部において、両側の前記ボルト孔の中央からずれた位置に立設されていることを特徴とする柱脚金物。
【請求項４】
請求項１〜請求項３のいずれか一の請求項に記載の柱脚金物において、
前記座ぼり部は、
土台の上面に平面視円形の複数の丸穴を一部重ねながら形成したものであり、
前記ベース部は、
前記座ぼり部に収容される形状であって、かつ、その長手方向の両端部に前記丸穴の円弧に応じて湾曲した湾曲面を設けたことを特徴とする柱脚金物。
【請求項５】
土台の上面に平面視円形の複数の丸穴を一部重ねながら、かつ、請求項４に記載の柱脚金物のベース部を、アンカーボルトのネジ部およびナットが土台の上面から突出しない深さで設けた座ぼり部に設置し、その座ぼり部に突出したアンカーボルトのネジ部にベース部のボルト孔を嵌めてナットにより締結し、
柱に設けたシャフト挿入穴を前記柱脚金物のシャフト部に嵌めて前記柱脚金物を介し前記土台の上に前記柱を立設したことを特徴とする柱脚金物を使用した建築構造。
【請求項６】
請求項５に記載の柱脚金物を使用した建築構造において、
柱に設けたシャフト挿入穴を前記柱脚金物のシャフト部に嵌めて前記柱脚金物を介し前記土台の上に前記柱を立設する際、前記柱脚金物のシャフト部が突出するように前記土台の上に床材を設置し、前記柱のシャフト挿入穴を前記床材から突出した前記柱脚金物のシャフト部に嵌めて前記床材と前記柱脚金物を介し前記土台の上に前記柱を立設したことを特徴とする柱脚金物を使用した建築構造。
【請求項７】
座ぼり用工具によって土台の上面に平面視円形の複数の丸穴を一部重ねながら、かつ、請求項４に記載の柱脚金物のベース部と、アンカーボルトのネジ部およびナットが土台の上面から突出しない深さで設けることにより座ぼり部を形成し、
その座ぼり部に前記柱脚金物のベース部を設置して、その座ぼり部に突出したアンカーボルトのネジ部にベース部のボルト孔を嵌めてナットにより締結し、
その後、柱に設けたシャフト挿入穴を前記柱脚金物のシャフト部に嵌めて前記柱脚金物を介し前記土台の上に前記柱を立設することを特徴とする柱脚金物を使用した建築工法。
【請求項８】
請求項７に記載の柱脚金物を使用した建築工法において、
柱に設けたシャフト挿入穴を前記柱脚金物のシャフト部に嵌めて前記柱脚金物を介し前記土台の上に前記柱を立設する際、前記柱脚金物のシャフト部が突出するように前記土台の上に床材を設置し、その後、前記柱のシャフト挿入穴を前記床材から突出した前記柱脚金物のシャフト部に嵌めて前記床材と前記柱脚金物を介し前記土台の上に前記柱を立設することを特徴とする柱脚金物を使用した建築工法。
【発明の詳細な説明】
【技術分野】
【０００１】
本発明は、柱を立設するための柱脚金物、その柱脚金物を使用した建築構造および建築工法に関する。
【背景技術】
【０００２】
木造住宅等の建物においては、柱の下端部を、柱脚金物を介して基礎に接合することで、柱の軸力を、柱脚金物を介し基礎に伝達する構造が採用されている（例えば、特許文献１参照。）。
【先行技術文献】
【特許文献】
【０００３】
【特許文献１】特開２００６−１２５０４３号公報
【発明の概要】
【発明が解決しようとする課題】
【０００４】
しかし、上述の特許文献１に記載の柱脚金物は、下側のベースプレートと上側の支持プレートとを十字形状のプレートを介して接合すると共に、支持プレートの上面に柱の下端部に形成したスリットに差し込む差込プレートを接合した複雑な構造であるため、金物が大型化すると共に、重量が増大する。そのため、製造コストがかかると共に、作業性が悪いという問題点がある。
【０００５】
特に、上述の特許文献１の柱脚金物では、ベースプレートと支持プレートとの間の空間でアンカーボルトのネジ部をナットにより締結するため、作業性が悪かった。
【０００６】
また、上述の特許文献１の柱脚金物は、基礎の上に直接設けられ、外部に露出して外気に触れるため、いわゆる熱橋（ヒートブリッジ）の原因となる。そのため、建物全体の断熱性能を低下させると共に、柱脚金物が木材に比べ熱伝導性が高いことから結露の原因にもなり、木材の寿命を低下させるという問題がある。
【０００７】
特に、特許文献１の柱脚金物は、基礎の上に柱脚金物のベースプレートを直接載せて柱を固定するため、基礎に接している面積が大きく、基礎へ熱を逃がし易いという問題もある。
【０００８】
そこで、本発明はこのような課題に着目してなされたもので、構造が単純で小型化することができ、作業性も良く、かつ、断熱性能を向上させることができると共に、木材の寿命も向上させることができる柱脚金物、その柱脚金物を使用した建築構造および建築工法を提供することを目的とする。
【課題を解決するための手段】
【０００９】
前記課題を解決するため、本発明に係る柱脚金物は、土台に形成された座ぼり部に設置され、基礎から延び座ぼり部に突出したアンカーボルトのネジ部およびナットにより前記座ぼり部に固定されるベース部と、そのベース部に立設され、柱に形成されたシャフト挿入穴に挿入され、柱と共にドリフトピンが挿入されて柱に固定されるシャフト部を有することを特徴とする。
ここで、前記ベース部は、一定の厚みの鋼板からなり土台の幅より狭い幅を有する長板形状であって、その長手方向には一定間隔で少なくとも２以上のボルト孔が設けられており、前記シャフト部は、両側にそれぞれ前記ボルト孔が位置するように立設されていると良い。尚、ベース部の鋼板は一定の厚みの鋼板であって複数枚を組み合わせる事も可能だが、１枚であると更に良い。
また、前記シャフト部は、前記ベース部において、両側の前記ボルト孔の中央からずれた位置に立設されていると更に良い。
また、前記座ぼり部は、土台の上面に平面視円形の複数の丸穴を一部重ねながら形成したものであり、前記ベース部は、前記座ぼり部に収容される形状であって、かつ、その長手方向の両端部に前記丸穴の円弧に応じて湾曲した湾曲面を設けると良い。
また、本発明に係る柱脚金物を使用した建築構造は、土台の上面に平面視円形の複数の丸穴を一部重ねながら、かつ、上述の柱脚金物のベース部と、アンカーボルトのネジ部およびナットが土台の上面から突出しない深さで設けた座ぼり部に前記柱脚金物のベース部を設置し、その座ぼり部に突出したアンカーボルトのネジ部にベース部のボルト孔を嵌めてナットにより締結し、柱に設けたシャフト挿入穴を前記柱脚金物のシャフト部に嵌めて前記柱脚金物を介し前記土台の上に前記柱を立設したことを特徴とする。
ここで、柱に設けたシャフト挿入穴を前記柱脚金物のシャフト部に嵌めて前記柱脚金物を介し前記土台の上に前記柱を立設する際、前記柱脚金物のシャフト部が突出するように前記土台の上に床材を設置し、前記柱のシャフト挿入穴を前記床材から突出した前記柱脚金物のシャフト部に嵌めて前記床材と前記柱脚金物を介し前記土台の上に前記柱を立設すると良い。
また、本発明に係る柱脚金物を使用した建築工法は、座ぼり用工具によって土台の上面に平面視円形の複数の丸穴を一部重ねながら、かつ、上述の柱脚金物のベース部と、アンカーボルトのネジ部およびナットが土台の上面から突出しない深さで設けることにより座ぼり部を形成し、その座ぼり部に前記柱脚金物のベース部を設置して、その座ぼり部に突出したアンカーボルトのネジ部にベース部のボルト孔を嵌めてナットにより締結し、その後、柱に設けたシャフト挿入穴を前記柱脚金物のシャフト部に嵌めて前記柱脚金物を介し前記土台の上に前記柱を立設することを特徴とする。
ここで、柱に設けたシャフト挿入穴を前記柱脚金物のシャフト部に嵌めて前記柱脚金物を介し前記土台の上に前記柱を立設する際、前記柱脚金物のシャフト部が突出するように前記土台の上に床材を設置し、その後、前記柱のシャフト挿入穴を前記床材から突出した前記柱脚金物のシャフト部に嵌めて前記床材と前記柱脚金物を介し前記土台の上に前記柱を立設すると良い。
【発明の効果】
【００１０】
本発明の柱脚金物は、ベース部とシャフト部とを有しており、上述の特許文献１に記載の柱脚金物のようにベースプレートと支持プレートの２段のプレートを十字形状のプレートを介して接合した複雑な構造でないため、金物自体をコンパクト化することができると共に、軽量化を図ることができる。その結果、コストダウンを図ることができると共に、作業性を向上させることができる。
特に、ベース部の上方には支持プレート等を設けておらず、ベース部の上面からアンカーボルトのネジ部が突出するため、アンカーボルトのネジ部をナットで締結する際の作業性も良好である。
また、本発明の柱脚金物、その柱脚金物を使用した建築構造および建築工法によれば、柱脚金物が外部に露出しないので、断熱性能を向上させることができると共に、木材の寿命も向上させることができる。
その上、アンカーボルトの本数によりアンカーボルトの径を調整出来たり、座ぼり部から突出しないようにアンカーボルトを埋め込むことにより他の箇所の埋め込み深さと揃えられたりする事で施工性が良好になる。
また、シャトル部をベース部において両側のボルト孔の中央からずれた位置に立設させることにより、必要なアンカーボルトの埋め込み間隔を保ちながら隅部でも使用できる。
さらに、本発明の柱脚金物は土台の座ぼり部に設けられるので、基礎に対し熱を逃し難くすることができ、この点でも断熱性能を向上させることができると共に、木材の寿命も向上させることができる。
【図面の簡単な説明】
【００１１】
【図１】本発明に係る実施形態の柱脚金物の使用状態を示す正面図である。
【図２】本発明に係る実施形態の柱脚金物の使用状態を示す側面図である。
【図３】（ａ），（ｂ）それぞれ本発明に係る実施形態の柱脚金物の正面図、側面図である。
【図４】（ａ），（ｂ）それぞれ本発明に係る実施形態の柱脚金物の平面図、図４（ａ）におけるＡ−Ａ線断面図である。
【図５】土台に形成する座ぼり部の形状を示す平面図である。
【図６】基礎の上に土台を設け、その土台の座ぼり部に実施形態の柱脚金物を設置した状態を示す平面図である。
【発明を実施するための形態】
【００１２】
以下、本発明に係る柱脚金物、その柱脚金物を使用した建築構造および建築工法の実施の形態を、添付図面を参照しながら詳細に説明する。なお、下記に説明する実施の形態は、あくまで、本発明の一例であり、本発明は、下記に説明する実施の形態に限定されるものではない。
【００１３】
＜柱脚金物１の構成＞
実施形態の柱脚金物１は、図１および図２に示すように、土台２の上に柱３を立設するためのもので、図３（ａ），（ｂ）および図４（ａ），（ｂ）等に示すようにベース部１１と、シャフト部１２とを有する。尚、図１および図２において、４はアンカーボルト、５はナット、６はドリフトピン、７は床材である床合板、８は基礎である。
【００１４】
ベース部１１は、土台２に形成された後述する座ぼり部２１に設置され、基礎８から延びアンカーボルト４のネジ部およびナット５により座ぼり部２１に固定されるもので、例えば、図４（ａ）等に示すように長さＬが１３０ｍｍで、幅Ｗが２８ｍｍの平面視長方形に近い形状だが、その長手方向の両端部には、それぞれ、半径２５ｍｍの円弧の一部分で湾曲した湾曲面１１ａ，１１ａを設けている。
【００１５】
ここで、湾曲面１１ａ，１１ａの円弧を半径２５ｍｍの円弧の一部分としたのは、座ぼり用工具（図示せず。）によって土台２に形成する座ぼり部２１は、後述する図５に示すように半径２５ｍｍ、すなわち直径５０ｍｍの平面視円形の丸穴２１ａ〜２１ｃをほぼ一直線に３つ連続させて形成しているからである。ただし、この丸穴２１ａ〜２１ｃの数や、丸穴２１ａ〜２１ｃのほぼ一直線の形成は任意であり、本発明では、これに限定されるものではない。
【００１６】
また、図４（ａ），（ｂ）等に示すように、ベース部１１には、２本のアンカーボルト４が通るボルト孔１１ｂを８０ｍｍの間隔Ｌ１を空けて形成していると共に、シャフト部１２内部を確実にメッキできるようにメッキ用孔１１ｃを形成している。尚、ベース部１１の以上のような寸法等は、あくまで一例であり、これに限定されるものではない。
【００１７】
シャフト部１２は、中空の鋼管から構成され、柱３との接合のためドリフトピン６が挿入されるピン孔１２ａが３箇所形成され、ベース部１１の両側の一方の湾曲面１１ａの端部から７７．５ｍｍ、すなわち他方の湾曲面１１ａから５２．５ｍｍの長手方向に偏芯した位置に溶接等により接合して設けられている。なお、シャフト部１２は、中空の鋼管ではなく中実の鋼棒を利用しても良いし、中空または中実の角材でも良く、要は、柱３から露出しない形状であれば特に拘らない。また、シャフト部１２におけるピン孔１２ａの数や、ベース部１１におけるシャフト部１２の設置位置も一例であり、上記に限定されることは無い。
【００１８】
＜本実施形態の柱脚金物１を使用した建築構造および建築工法＞
【００１９】
次に、本実施形態の柱脚金物１を使用した建築構造および建築工法について説明する。
【００２０】
まず、図５に示すように、例えば１２０ｍｍ幅の土台２に対し、予め座ぼり用工具（図示せず。）によって、平面視円形の丸穴２１ａ〜２１ｃをほぼ一直線に中心間の間隔を４０ｍｍだけ離して３つ連続させた形状の座ぼり部２１を形成する。その結果、２本のアンカーボルト４が通る土台２のボルト孔２２ａ，２２ｃの中心間の間隔は、８０ｍｍとなり、ベース部１１に形成した２箇所のボルト孔１１ｂの間隔Ｌ１と同じになる。尚、中央の孔２２ｂは、座ぼり部２１中央の丸穴２１ｂを形成するための位置決め用の孔であり、省略できる。
【００２１】
また、平面視円形の丸穴２１ａ〜２１ｃをほぼ一直線に中心間の間隔を４０ｍｍだけ離して３つ連続させて座ぼりを行って座ぼり部２１を形成することにより、座ぼり部２１の長手方向の幅は図５に示すように１３０ｍｍとなり、柱脚金物１のベース部１１の長さＬ（図４（ａ）参照。）と一致する。
【００２２】
また、座ぼり部２１の短手方向の最小間隔は３０ｍｍとなり、柱脚金物１のベース部１１の幅Ｗの２８ｍｍ（図４（ａ）参照。）に対し上下１ｍｍほどの隙間（余裕）が空く。
【００２３】
よって、座ぼり用工具（図示せず。）による座ぼり部２１形成時の形成誤差や加工バリ等を考慮すると、座ぼり部２１に対し柱脚金物１のベース部１１をほとんど隙間無く正確に嵌めて収容できることになる。
【００２４】
尚、座ぼり部２１の深さは、図１や図２等に示すように、柱脚金物１のベース部１１と、アンカーボルト４のネジ部およびナット５が土台２の上面から突出しない深さに形成する。
【００２５】
次に、図５に示すように加工した土台２のボルト孔２２ａ，２２ｃそれぞれに基礎８から延びる２本のアンカーボルト４，４を通すようにして土台２を基礎８に設置し、続いて、図６に示すように、土台２に形成された座ぼり部２１に、柱脚金物１のベース部１１を設置する為、その座ぼり部２１に突出した２本のアンカーボルト４，４のネジ部に、ベース部１１のボルト孔１１ｂ，１１ｂを通し、それぞれナット５，５により締結する。これで、土台２に柱脚金物１を固定できる。
【００２６】
次に、この柱脚金物１のシャフト部１２が突出するように土台２の上に床材である床合板７を設置し、その後、柱３に予め設けておいたシャフト挿入穴を床合板７から突出した柱脚金物１のシャフト部１２に嵌めて、柱３を柱脚金物１と床合板７を介し土台２の上に立設する。この場合、床合板７は省略しても良い。
【００２７】
そして、最後に、柱脚金物１のシャフト部１２の３箇所のピン孔１２ａと、柱３のピン孔とを位置合わせをし、図１や図２等に示すようにそれらのピン孔にドリフトピン６を挿入して、柱脚金物１のシャフト部１２と柱３とを固定して、床合板７を介し土台２の上に柱３を固定することができる。
【００２８】
以上説明したように本実施形態の柱脚金物１は、ベース部１１とシャフト部１２とから構成しており、上述の特許文献１に記載の柱脚金物のようにベースプレートと支持プレートの２段のプレートを十字形状のプレートを介して接合した複雑な構造でないため、金物自体をコンパクト化することができると共に、軽量化を図ることができる。その結果、コストダウンを図ることができると共に、作業性を向上させることができる。
【００２９】
特に、本実施形態の柱脚金物１では、ベース部１１の上方には上述の特許文献１の発明に記載されたような支持プレート等を設けていないため、ベース部１１の上面から突出する柱脚金物１固定用の２本のアンカーボルト４，４のネジ部を上方からナット５，５で締結する際も、邪魔をするものがなく、上述の特許文献１の発明より作業性が良好である。
【００３０】
また、本実施形態の柱脚金物１では、その柱脚金物１を使用した建築構造および建築工法によれば、柱脚金物１のベース部１１は土台２に形成した座ぼり部２１内に埋まり、かつ、その上から床合板７で蓋をし、床合板７から突出する柱脚金物１のシャフト部１２は、柱３のシャフト挿入穴に通すようにしたので、柱脚金物１が外部に露出しなくなり、外気に触れない。
【００３１】
その結果、柱脚金物１が直接、屋外と屋内とを連結することがなくなり、熱橋（ヒートブリッジ）とならないので、建物全体の断熱性能を向上させることができる。また、柱脚金物１が外部に露出しないので、温度変化が少なくなり、結露の発生も抑えることが可能となり、土台２や柱３等の木材の寿命も向上させることができる。
【００３２】
また、本実施形態の柱脚金物１は、基礎８の上に直接設置するのではなく、土台２に形成した座ぼり部２１に柱脚金物１のベース部１１を固定するため、金属性の柱脚金物１が基礎８に直接的に接する部分はなくなり、基礎８に対し熱を逃し難くすることもできる。その結果、この点でも断熱性能を向上させることができると共に、木材の寿命も向上させることができる。
【００３３】
特に、本実施形態の柱脚金物１を使用した建築構造および建築工法では、柱脚金物１のベース部１１を土台２に形成した座ぼり部２１内に収容し、その上から床合板７で蓋をし、床合板７から突出した柱脚金物１のシャフト部１２に柱３のシャフト挿入穴を嵌めて柱３を設けるようにしたため、床合板７の上から柱３を施工することができ、施工性も向上する。
【００３４】
また、本実施形態の柱脚金物１を使用した建築構造および建築工法では、土台２に形成する座ぼり部２１は、図５等に示すように座ぼり用工具によって土台２に形成された平面視円形の丸穴２１ａ〜２１ｃをほぼ一直線に３つ連続させた形状であり、柱脚金物１のベース部１１は、そのような形状の座ぼり部２１に嵌る幅と長さを備えた長尺形状であって、かつ、その長手方向の両端部は、丸穴２１ａ〜２１ｃの円弧に応じて湾曲した湾曲面１１ａ，１１ａを有している。
【００３５】
その結果、本実施形態の柱脚金物１、その柱脚金物１を使用した建築構造および建築工法によれば、座ぼり用工具（図示せず。）を使用して土台２に簡単にベース部１１を埋設する座ぼり部２１を形成でき、作業性を向上させることができる。
【００３６】
また、ベース部１１の湾曲面１１ａ，１１ａが、座ぼり部２１の両端の丸孔の内周面に合うため、座ぼり部２１と柱脚金物１との位置合わせが容易になると共に、ベース部１１の回転を防止でき、作業性が向上すると共に、柱脚金物１の取付け精度を向上させることができる。
【００３７】
また、本実施形態の柱脚金物１、その柱脚金物１を使用した建築構造および建築工法によれば、柱脚金物１は基礎８に直結しているため、土台２の木材強度の影響を受けない。
【００３８】
また、通常の柱脚金物はアンカーボルト１本で固定する事が多いものの、本実施形態の柱脚金物１、その柱脚金物１を使用した建築構造および建築工法では、ベース部１１の長手方向には一定間隔を空けて２つのボルト孔１１ｂ，１１ｂが設けられており、シャフト部１２はその２つのボルト孔１１ｂ，１１ｂと同一直線上であって、両側にそれぞれボルト孔１１ｂ，１１ｂが位置するように立設している。そのため、本実施形態の柱脚金物１では、２本のアンカーボルト４がシャフト部１２を挟むようにその両側から基礎８に固定するので、１本のアンカーボルト４で柱脚金物を基礎８等に固定する場合よりも、各アンカーボルト４にかかる負担が小さくなり、アンカーボルト４を細く設計することもできる。
【００３９】
また、本実施形態の柱脚金物１では、シャフト部１２は、ベース部１１において２つのボルト孔１１ｂ，１１ｂと同一直線上であって、両側のボルト孔１１ｂ，１１ｂの中央からずれた、すなわち偏芯した位置に立設している。そのため、本実施形態の柱脚金物１を土台２同士が直交する角部に柱３を立設する際に使用する場合でも、ベース部１１の長手方向の長さやボルト孔１１ｂ，１１ｂに通すアンカーボルト４，４間の間隔を隅部でも一定基準以上確保して強度を保持しながらも、ベース部１１の端部が土台２から飛び出すことを極力防止して断熱性能を向上させることができる。
【００４０】
また、本実施形態の柱脚金物１、その柱脚金物１を使用した建築構造および建築工法では、アンカーボルト４のネジ部が土台２の天端より出ないように固定するので、他の一定間隔で施工する必要があるアンカーボルトの径や埋め込み深さを揃えたりすることが可能になる。これにより施工ミスの防止やコストダウンを図ることができる。尚、本発明では、柱脚金物１を基礎８に固定する際のアンカーボルト４の本数は、３本以上でも良く、２本以上であれば、特にその本数は拘らない。
【００４１】
尚、上記実施形態の説明では、柱脚金物１のベース部１１は、長手方向の両端部に湾曲面１１ａ，１１ａを設けて説明したが、本発明では、これに限らず、湾曲面１１ａ，１１ａを設けずに平面視長方形状でも良いし、長手方向の両端部に湾曲面１１ａ，１１ａの一部を切り取ったような形状でも良い。本発明では、柱脚金物１のベース部１１の平面視形状は、土台２に形成した座ぼり部２１に入れることができる形状であれば特に拘らない。
【００４２】
また、上記実施形態の説明では、座ぼり部２１は、例えば、平面視円形の丸穴２１ａ〜２１ｃをほぼ一直線に中心間の間隔を４０ｍｍだけ離して３つ連続させて座ぼりして形成したが、本発明では、これに限らず、平面視長方形状の座ぼり部でも良いし、柱脚金物１のベース部１１の平面形状に合わせた形状でも良く、要は、柱脚金物１のベース部１１が収容できる形状であれば良い。
【００４３】
また、上記実施形態の柱脚金物１を使用した建築構造および建築工法では、柱脚金物１のベース部１１を土台２に形成した座ぼり部２１内に収容し、その上から床材である床合板７で蓋をし、床合板７から突出した柱脚金物１のシャフト部１２に柱３のシャフト挿入穴を嵌めて柱３を立設するように説明したが、本発明では、これに限らず、床合板７の代わりに合成樹脂性やセラミック系、金属製等、木製以外の床材を使用しても良いし、さらには床材である床合板７を省略して、柱脚金物１を介し土台２の上に直接、柱３を立設するようにしても勿論良い。
【符号の説明】
【００４４】
１  柱脚金物
１１  ベース部
１１ａ，１１ａ  湾曲面
１１ｂ，１１ｂ  ボルト孔
１１ｃ  メッキ用孔
１２  シャフト部
１２ａ  ピン孔
２  土台
２１  座ぼり部
２１ａ〜２１ｃ  丸穴
２２ａ，２２ｃ  ボルト孔
３  柱
４  アンカーボルト
５  ナット
６  ドリフトピン
７  床合板（床材）
８  基礎
【図１】
2016211181.tif 000003
【図２】
2016211181.tif 000004
【図３】
2016211181.tif 000005
【図４】
2016211181.tif 000006
【図５】
2016211181.tif 000007
【図６】
2016211181.tif 000008